(57)【特許請求の範囲】
【請求項１】
モノシートタイプのインスタントフイルムユニットと、このインスタントフイルムユニットを複数枚収納する略箱形状のケースと、このケースの第１の面に設けられてインスタントフイルムユニットの露光面を露呈する露光開口と、第１の面に接する第２の面に設けられて該インスタントフイルムユニットを排出する排出口とからなり、露光済みのインスタントフイルムユニットをケースから送り出し、現像液をインスタントフイルムユニットの感光層上に展開する排出機構と、排出時のインスタントフイルムユニットに摺接して感光層上の現像液の展延状態を制御する展延制御部材とを備えたカメラに用いられるインスタントフイルムパックにおいて，
前記インスタントフイルムユニットの排出方向の先端が展延制御部材に当接する際に、インスタントフイルムユニットの排出方向の後端が露光開口の後端縁よりも排出方向の後方に位置して前記第１の面の内壁に当接するようにしたことを特徴とするインスタントフイルムパック。
【請求項２】
モノシートタイプのインスタントフイルムユニットと、このインスタントフイルムユニットを複数枚収納する略箱形状のケースと、このケースの第１の面に設けられてインスタントフイルムユニットの露光面を露呈する露光開口と、第１の面に接する第２の面に設けられて該インスタントフイルムユニットを排出する排出口とからなるインスタントフイルムパックが用いられ、このインスタントフイルムパックが装填されるパック室と、インスタントフイルムユニットを排出口からケース外に送り出し、現像液をインスタントフイルムユニットの感光層上に展開する排出機構と、排出中のインスタントフイルムユニットに摺接して感光層上の現像液の展延状態を制御する展延制御部材とを備えたカメラにおいて、
前記インスタントフイルムユニットの排出方向の先端が展延制御部材に当接する際に、インスタントフイルムユニットの排出方向の後端が露光開口の後端縁よりも排出方向の後方に位置して前記第１の面の内壁に当接するように、インスタントフイルムパックを位置決めすることを特徴とするカメラ。
【請求項３】
前記インスタントフイルムパックの位置決めは、インスタントフイルムユニットの排出方向において、展延制御部材から露光開口の後端縁までの長さが、該インスタントフイルムユニットの長さよりも短くなるように行われることを特徴とする請求項２記載のカメラ。
【請求項４】
露光開口と排出口とが設けられたケース内に複数枚のモノシートタイプのインスタントフイルムユニットを収納したインスタントフイルムパックが装填されるパック室と、インスタントフイルムユニットを排出口からケース外に送り出し、現像液をインスタントフイルムユニットの感光層上に展開する排出機構と、排出中のインスタントフイルムユニットに摺接して感光層上の現像液の展延状態を制御する展延制御部材とを備えたカメラにおいて、
前記インスタントフイルムユニットへの露光時には露光開口の外側で待機し、排出機構の動作に連動して露光開口内に入り込み、排出中のインスタントフイルムユニットの後端に当接して変形を規制する変形規制機構を設けたことを特徴とするカメラ。
【発明の詳細な説明】
【０００１】
【発明の属する技術分野】
本発明は、インスタントフイルムパック及びカメラに関し、更に詳しくは、インスタントフイルムユニットの排出不良と現像液の展開不良とを防止したインスタントフイルムパック及びカメラに関するものである。
【０００２】
【従来の技術】
図１１（Ａ）に示すように、箱形状のケース２内にモノシートタイプのインスタントフイルムユニット（以下、フイルムユニットと省略する）３を複数枚収納したインスタントフイルムパック（以下、フイルムパックと省略する）４が各種販売されている。ケース２は、遮光性を有するプラスチックで形成されており、フイルムユニット３の露光面３ａを露呈させる露光開口２ａと、露光済みのフイルムユニット３を排出するスリット形状の排出口２ｂとが設けられている。このフイルムパック４は、インスタントカメラやプリンタ等に用いられ、これらの機器に設けられたパック室にケース２ごと装填される。
【０００３】
フイルムパック４が用いられる機器には、ケース２から露光済みのフイルムユニット３を送り出し、現像液の展開を行う排出機構が組み込まれている。この排出機構は、ケース２に設けられた切欠６に下方から入り込んでフイルムユニット３を上方の排出口から送り出すクロー部材７と、ケース２から送り出されたフイルムユニット３を挟み込んで回転することにより、機器に設けられたフイルム取出し口に向けてフイルムユニット３を搬送し、フイルムユニット３の感光層上に現像液を展開する展開ローラ対８とからなる。
【０００４】
また、感光層への現像液の展開をより精度よく行うために、米国特許４，２２６，５１９号明細書には、排出中のフイルムユニットに摺接する展延制御部材をケースの排出口に設け、感光層上の現像液の分布を制御するようにした発明が提案されている。また、本出願人による特願平１０−５３８５５号明細書記載の発明では、フイルムパック４が装填される機器に、ケース２の排出口２ｂと展開ローラ対８との間に配置されるように展延制御部材１０が設けられている。
【０００５】
【発明が解決しようとする課題】
上述したように展開ローラ対８の前に展延制御部材１０を配置すると、フイルムユニット３が展開ローラ対８へと向かう際の通過抵抗が増加してしまう。フイルムユニット３は、クロー部材７によって下端縁の幅方向の端部が押圧されるため、フイルムユニット３にはケース２内で回転する方向の回転モーメントが発生してしまう。これにより、ケース２の内壁面とフイルムユニット３との摩擦抵抗が大きくなり、同図（Ｂ）に示すように、フイルムユニット３は摩擦抵抗から逃れるために露光開口２ａから突出する方向に湾曲してしまうことがある。このような状態でフイルムユニット３が搬送されると、フイルムユニット３のクロー部材７に押圧された側がケース２の内壁に強く圧迫され、図１２に示すように、圧迫された部分に現像液が展開されない未展開部３ｂが発生してしまうという問題があった。
【０００６】
上記問題は、フイルムユニット３の形状が横長であるほど、またフイルムユニット３に掛かる抵抗が大きいほど、更にフイルムユニットの剛性が低いほど（あるいは、湿度の変化等により剛性が低くなる場合）に発生しやすい。
【０００７】
本発明は、上記問題点を解決するためのもので、インスタントフイルムユニットの変形による排出不良を防止したインスタントフイルムパック及びカメラに関するものである。
【０００８】
【課題を解決するための手段】
上記問題点を解決するために、本発明の請求項１記載のインスタントフイルムパックは、モノシートタイプのインスタントフイルムユニットと、このインスタントフイルムユニットを複数枚収納する略箱形状のケースと、このケースの第１の面に設けられてインスタントフイルムユニットの露光面を露呈する露光開口と、第１の面に接する第２の面に設けられて該インスタントフイルムユニットを排出する排出口とからなり、露光済みのインスタントフイルムユニットをケースから送り出し、現像液をインスタントフイルムユニットの感光層上に展開する排出機構と、排出時のインスタントフイルムユニットに摺接して感光層上の現像液の展延状態を制御する展延制御部材とを備えたカメラに用いられるインスタントフイルムパックにおいて，インスタントフイルムユニットの排出方向の先端が展延制御部材に当接する際に、インスタントフイルムユニットの排出方向の後端が露光開口の後端縁よりも排出方向の後方に位置して前記第１の面の内壁に当接するようにしたものである。
【０００９】
また、請求項２記載のカメラは、モノシートタイプのインスタントフイルムユニットと、このインスタントフイルムユニットを複数枚収納する略箱形状のケースと、このケースの第１の面に設けられてインスタントフイルムユニットの露光面を露呈する露光開口と、第１の面に接する第２の面に設けられて該インスタントフイルムユニットを排出する排出口とからなるインスタントフイルムパックが用いられ、このインスタントフイルムパックが装填されるパック室と、インスタントフイルムユニットを排出口からケース外に送り出し、現像液をインスタントフイルムユニットの感光層上に展開する排出機構と、排出中のインスタントフイルムユニットに摺接して感光層上の現像液の展延状態を制御する展延制御部材とを備えたカメラにおいて、インスタントフイルムユニットの排出方向の先端が展延制御部材に当接する際に、インスタントフイルムユニットの排出方向の後端が露光開口の後端縁よりも排出方向の後方に位置して前記第１の面の内壁に当接するように、インスタントフイルムパックを位置決めするようにしたものである。
【００１０】
更に、請求項３記載のカメラは、インスタントフイルムパックの位置決めを、インスタントフイルムユニットの排出方向において、展延制御部材から露光開口の後端縁までの長さが、該インスタントフイルムユニットの長さよりも短くなるように行わうようにしたものである。
【００１１】
また、請求項４記載のカメラは、露光開口と排出口とが設けられたケース内に複数枚のモノシートタイプのインスタントフイルムユニットを収納したインスタントフイルムパックが装填されるパック室と、インスタントフイルムユニットを排出口からケース外に送り出し、現像液をインスタントフイルムユニットの感光層上に展開する排出機構と、排出中のインスタントフイルムユニットに摺接して感光層上の現像液の展延状態を制御する展延制御部材とを備えたカメラにおいて、インスタントフイルムユニットへの露光時には露光開口の外側で待機し、排出機構の動作に連動して露光開口内に入り込み、排出中のインスタントフイルムユニットの後端に当接して変形を規制する変形規制機構を設けたものである。
【００１２】
【発明の実施の形態】
図２は、本発明のインスタントフイルムパックを使用するインスタントカメラの外観を示す斜視図である。カメラ１５は、正面から見て略矩形形状とされており、背面側から複数枚のフイルムユニットが収納されたフイルムパックが装填される。カメラ１５の前面中央部には、撮影レンズ１６が組み込まれたレンズ鏡筒１７が設けられている。このレンズ鏡筒１７は、カメラ本体１８に対して前面側に突出する位置と、カメラ本体１８内に沈胴する位置との間で移動自在とされており、不使用時のカメラ１５の携帯性が向上されている。また、カメラ１５は、赤外光アクティブ方式のオートフォーカス機構を用いており、レンズ鏡筒１７の前面には撮影レンズ１６の他に、測距装置を構成する投光窓１９及び受光窓２０と、測光装置を構成する測光窓２１とがそれぞれ設けられている。これらの窓１９〜２１の奥には、投光素子，受光素子が組み込まれている。
【００１３】
カメラ１５の一方の側面にはグリップ２３が一体に形成されており、このグリップ２３の上部にはシャッタボタン２４が設けられている。シャッタボタン２４は２段階の深さに押下することができ、半押し時に測距及び測光が行われ、深く押し込むことによりシャッタレリーズが行われる。
【００１４】
カメラ１５の側面上方に設けられたファインダー２６で撮影範囲を確認し、シャッタボタン２４を半押しすると、前述した投光窓１９及び受光窓２０、測光窓２１を通して測距と測光とが行われる。シャッタボタン２４を深く押し込むと、測定された測距値，測光値に基づいてレンズ鏡筒１７内に組み込まれたシャッタ装置３０（図４参照）がレリーズ動作を行う。また、被写体の輝度が低い場合には、レンズ鏡筒１７の上方に配置されたストロボ発光部２７から被写体に向けて自動的にストロボ発光が行われる。撮影後には、カメラ１５の上面に形成されたスリット形状のフイルム取出し口２８から、現像中のフイルムユニット２９が排出される。
【００１５】
カメラ１５の要部断面図である図３に示すように、カメラ１５は、本体基部３２と、この本体基部３２の前面側と背面側とを覆う前カバー３４及び後カバー３５とから構成されている。本体基部３２は、各種撮影機能部品が取り付けられるようになっており、背面側にはフイルムパック３６が装填されるパック室３７が形成され、前面側には撮影レンズ１６からフイルムパック３６までの間の撮影光路を遮光する暗箱部３８が設けられている。本体基部３２の暗箱部３８とパック室３７との間には、撮影開口３９が形成されている。後カバー３５には、パック室３７を開閉する板形状の蓋部材４０がヒンジ４１を介して取り付けられている。
【００１６】
図３と、フイルムパック３６の外観形状及びカメラ１５に組み込まれている排出機構の概略的構成を表す図４とに示すように、フイルムパック３６は、箱形状のケース４３と、このケース４３内に収納される複数枚のフイルムユニット２９と、フイルムカバー４４とから構成されている。ケース４３の前面には、フイルムユニット２９の露光面を露呈する矩形形状の露光開口４５が形成されており、上面には、フイルムカバー４４と露光済みのフイルムユニット２９とをケース４３外に排出するための排出口４６が設けられている。未使用時のフイルムパック３６は、排出口４６が遮光性を有するプラスチックフイルムで形成された遮光シート４７によって塞がれており、露光開口４５は、ケース４３内部からフイルムカバー４４によって塞がれている。
【００１７】
上記フイルムパック３６がカメラのパック室に装填されると、フイルムパック３６の前方にはシャッタユニット３０と撮影レンズ１６とが配置され、シャッタユニット３０のレリーズ動作ごとに露光開口４５にセットされたフイルムユニット２９に撮影が行われる。また、シャッタユニット３０のレリーズ動作に連動して、フイルムユニット２９を機器外に排出する排出機構が作動する。この排出機構は、モータ４９の回転を減速して伝達する減速ギヤトレイン５０と、この減速ギヤトレイン５０から伝達された駆動力を用いて動作するクロー機構５１及び展開ローラ対５２とからなる。
【００１８】
クロー機構５１は、減速ギヤトレイン５０によって伝達されたモータ４９の回転運動を上下方向のスライド運動に変換し、周知のクロー部材５４を上下方向に移動させる。クロー部材５４は、露光開口４５に連なってケース４３の前面下方に形成された切欠５５内に下方から入り込み、最前列にあるフイルムカバー４４あるいはフイルムユニット２９の下端縁を掬い上げて、上方の排出口４６からケース４３外に送り出す。
【００１９】
展開ローラ対５２は、減速ギヤトレイン４９によって図中時計方向に回転される駆動ローラ５７と、この駆動ローラ５７に従動して駆動ローラ５７と反対方向に回転する従動ローラ５８とからなり、従動ローラ５８は適正な付勢力で駆動ローラ５７に圧接されている。この展開ローラ対５２は、クロー部材５４によって送り出されたフイルムカバー４４あるいはフイルムユニット２９を挟み込んで回転し、上方に配置されたのカメラ１５のフイルム取出し口２８に向けて搬送する。また、展開ローラ対５２は、フイルムユニット２９の搬送中にフイルムユニット２９を現像させる。フイルムパック３６の排出口４６と展開ローラ対５２との間には、フイルムユニット２９の現像を補助する板形状の展延制御部材６０が配置されている。
【００２０】
図５は、フイルムパック３６の構成を示す分解斜視図である。フイルムユニット２９は、カメラやプリンタ等によって画像が露光される露光面２９ａと、この露光面２９ａの上方に配置されて現像液が封入された現像液ポッド２９ｂと、露光面２９ａを挟んで現像液ポッド２９ｂに対面するように配置されたトラップ部２９ｃとを備えている。このフイルムユニット２９は、未使用時からポジ像形成後まで１枚のシートとして取り扱われるモノシート型フイルムユニットであり、更に、露光される面とポジ像が形成される面とが異なる透過型フイルムユニットとなっている。そのため、露光面２９ａの反対側の面には、現像後終了後にポジ像が形成されるポジ像形成面が設けられている。
【００２１】
上記フイルムユニット２９は、露光面２９ａに露光が行われると、前述したクロー機構５１及びクロー部材５４によってケース４３から送り出される。そして、ケース４３外に送り出されたフイルムユニット２９は展開ローラ対５２に挟み込まれて機器外に向けて搬送され、その際に、展開ローラ対５２の押圧によって現像液ポッド２９ｂが裂開される。露光面２９ａとポジ像形成面との間には、感光層と反射層を含む受像層とが設けられており、現像液ポッド２９ｂから流れ出た現像液は、これらの層の間に流し込まれて均一に展開される。現像液が流し込まれた感光層には光化学的に潜像が形成され、この潜像が反射層を介して受像層に受像される。これにより、ポジ像形成面に露光時の画像に対して反転されたポジ像が形成される。
【００２２】
また、前述の展延制御部材６０は、フイルムユニット２９のポジ像形成面に摺接して現像液の展延を補助する機能を有しており、感光層に均一に現像液を展開して高画質なプリントを得るようにすることができる。余剰現像液は前述のトラップ部２９ｃに送り込まれる。トラップ部２９ｃには、吸収性のよい材料で形成されたパッドが収められており、現像液はパッドに吸収されて固化される。なお、実際のフイルムパック３６では、ケース４３内に１０枚程度のフイルムユニット２９が収納されているが、図面の煩雑化を避けるために実際よりもフイルムユニット２９の枚数を少なく描いている。
【００２３】
フイルムカバー４４は、遮光性を有するプラスチックで薄板状に形成されている。このフイルムカバー４４は、フイルムユニット２９の現像液ポッド２９ｂよりも薄く形成されており、排出時に排出機構に大きな負荷が掛からないようにされている。ケース４３の排出口４６に対面するフイルムカバー４４の先端部には、遮光性を有するプラスチックフイルムで形成された先端遮光フラップ６２が取り付けられている。この先端遮光フラップ６２は、ケース４３内でフイルムユニット２９側に屈曲されて排出口４６の中央部分を塞ぐことにより、フイルムパック３６を地面に落下させた際等の衝撃によって、フイルムカバー４４やフイルムユニット２９が排出口４６から飛び出してしまうのを防止する。また、フイルムカバー４４の後端部の角部には、切欠５５をケース４３内から塞ぐ後端遮光フラップ６３が取り付けられている。
【００２４】
ケース４３は、箱形状に形成されたケース本体６５と、このケース本体６５の開放されている面を塞ぐようにケース本体６５に取り付けられる裏蓋６６と、この裏蓋６６の内壁面に取り付けられる第１弾性板６７及び第２弾性板６８とから構成されている。また、ケース本体６５の第１の面である前面には、前述したように露光開口４５と切欠５５とが形成されており、第２の面である上面には排出口４６が設けられている。
【００２５】
裏蓋６６には、左右方向に沿って長方形の開口６６ａ，６６ｂが２個形成されている。これらの開口６６ａ，６６ｂは、カメラの蓋部材４０の内面に設けられた押上げ部材７０ａ，７０ｂが挿入されるものである。この押上げ部材７０ａ，７０ｂは、特開平７−２４４３３６号公報に記載されているように、ケース４３内に入り込んで収納されているフイルムユニット２９の背面側を押圧し、露光開口４５に対面する位置にある最前列のフイルムユニット２９に平面性を付与する。
【００２６】
また、裏蓋６６の内面には、ケース４３内でフイルムユニット２９が不用意に移動して、露光開口４５とフイルムカバー４４との間に隙間が形成されないようにするために、フイルムユニット２９を露光開口４５側に向けて押し上げる支持片６６ｃと、円弧形状の支持リブ６６ｄとが立設されている。フイルムユニット２９は、両端部に露光面よりも厚みのある現像液ポッド２９ｂとトラップ部２９ｃとが設けられているため、複数枚を重ねると中央部分が薄く、両端部が極端に厚くなってしまう。しかしながら、支持リブ６６ｄは、複数枚が重ねられた状態のフイルムユニット２９の形状に合わせた円弧形状とされているため、フイルムユニット２９を適正に押し上げてケース４３内の遮光を保つことができる。なお、支持片６６ｃは、最後列に配置されたフイルムユニット２９の中央部分を支持し、フイルムユニット２９の中央部分が支持リブ６６ｃの突出方向と反対方向に撓むことによる曲がり癖や折り目等を防止する。
【００２７】
第１弾性板６７は裏蓋６６に係止され、第２弾性板６８は第１弾性板６７に１片が接着される。第１弾性板６７と第２弾性板６８とは、フイルムパック３６の未使用時には裏蓋６６の開口６６ａ，６６ｂを塞ぐ。また、フイルムパック３６がカメラ等の機器に装填されて、開口６６ａ，６６ｂ内に押し上げ部材７０ａ，７０ｂが挿入された際には、押し上げ部材７０ａ，７０ｂに押圧されてフイルムユニット２９の全体を均一に押圧し、最前列のフイルムユニット２９に平面性を付与する。
【００２８】
図１（Ａ）は、フイルムユニット２９がケース４３内の初期位置に収められている際のフイルムパック３６の要部断面図であり、同図（Ｂ）は、フイルムユニット２９がクロー部材５４によりケース４３から送り出されて展延制御部材６０に当接している際のフイルムパック３６の要部断面図である。本発明のフイルムパック３６では、初期位置にあるフイルムユニット２９の先端が展延制御部材６０に当接するまでのフイルムユニット２９の移動量Ｄに対して、フイルムユニット２９の後端から露光開口４５の後端縁までの長さＦが「Ｄ≦Ｆ」となるように設定されている。これにより、フイルムユニット２９の先端が展延制御部材６０に当接して搬送抵抗が大きくなっても、フイルムユニット２９の後端はケース４３の前面内壁に当接されているため露光開口４５から突出する方向に湾曲することがなく、フイルムユニット２９は真っ直ぐに展開ローラ対５２に向けて搬送されるため、従来のような現像液の未展開部分が発生することはない。
【００２９】
また、フイルムユニット２９の後端から露光開口４５の後端縁までの長さＦが、フイルムユニット２９の移動量Ｄよりも大きければ大きいほどフイルムユニット２９の後端をケース４３の前面内壁に当接させることができるため、フイルムユニット２９の排出を安定化させることができる。しかしながら、フイルムユニット２９への露光面の下方側の露光範囲はトラップ部２９ｃによって規定されているため、寸法Ｆが大きすぎると露光画面に陰りが生じてしまう。そのため、本発明のフイルムパック３６では、トラップ部２９ｃの長さＴに対して寸法Ｆが「Ｆ≦Ｔ」となるように設定されている。
【００３０】
次に、上記実施形態の作用について説明する。図４に示すように、未使用のフイルムパック３６は、ケース４３の前面に形成された露光開口４５がフイルムカバー４４によって内側から塞がれ、上面に形成された排出口４６は外側に貼付された遮光シート４７によって塞がれている。また、露光開口４５に連なる切欠５５は、図５に示すように、フイルムカバー４４に取り付けられた後端遮光フラップ６３によって塞がれている。
【００３１】
未使用のフイルムパック３６をカメラ１５のパック室３７に装填して蓋部材４０を閉鎖すると、図３に示すように、蓋部材４０の内壁面に設けられた押上げ部材７０ａ，７０ｂがケース４３の開口６６ａ，６６ｂに入り込み、第１弾性板６７と第２弾性板６８とを介してフイルムユニット２９を押圧し、最前列のフイルムユニット２９に平面性を付与する。
【００３２】
フイルムパック３６のパック室３７への装填後、ユーザーがシャッタボタン２４を１度押圧してシャッタレリーズすることにより、フイルムカバー４４の排出が行われる。また、カメラによっては、蓋部材４０の閉鎖に連動してフイルムカバー４４の排出動作を行うものもある。
【００３３】
フイルムカバー４４の排出後には、図１（Ａ）に示すように、露光開口４５の背後にフイルムユニット２９がセットされる。この状態でファインダ２６で撮影範囲を確認してシャッタボタン２４を押下すると、シャッタユニット３０が作動してフイルムユニット２９の露光面２９ａに撮影が行われる。また、シャッタユニット３０のレリーズ動作の終了に連動して、カメラ１５内に組み込まれた排出機構が動作を開始する。
【００３４】
排出機構を構成するモータ４９が回転を開始すると、このモータ４９の回転が減速ギヤトレイン５０によって減速され、クロー機構５１に伝達される。クロー機構５１は、モータ４９の回転運動を上下方向のスライド運動に変換し、クロー部材５４を下方から上方へと１往復だけスライド移動させる。クロー機構５１により駆動されたクロー部材５４は、ケース４３の前面下方に形成された切欠５５内に下方から入り込み、フイルムユニット２９の後端部の幅方向の端部に当接し、上方に向かって掬いあげる。これにより、フイルムユニット２９はケース４３内で上方に移動され、排出口４６からケース４３の外に排出される。
【００３５】
ケース４３外に排出されたフイルムユニット２９は、図１（Ｂ）に示すように、展延制御部材６０に当接する。フイルムユニット２９が展延制御部材６０に当接すると、フイルムユニット２９の通過抵抗が増加し、フイルムユニット２９にケース４３内で回転するような回転モーメントが生じてしまう。しかしながら、フイルムユニット２９の後端はケース４３の前面内壁に当接しているため、図１１に示す従来のフイルムパック４のように、フイルムユニットの後端が露光開口から突出するようなことはなく、真っ直ぐにフイルムユニット２９を展開ローラ対５２に向けて搬送することができる。
【００３６】
展開ローラ対５２に挟み込まれたフイルムユニット２９は、現像液ポッド２９ｂが裂開され、この現像液ポッド２９ｂから流れ出た現像液が露光面２９ａとポジ像形成面との間に設けられた感光層と受像層との間に展開される。また、展延制御部材６０は、搬送中のフイルムユニット２９に摺接して現像液を均一に展延する。展開ローラ対５２と展延制御部材６０とで現像液が展開されたフイルムユニット２９は、カメラ１５のフイルム取出し口２８から排出され、一定時間後にポジ像形成面にポジ画像が形成される。
【００３７】
【実施例】
なお、フイルムユニット２９の斜行は、フイルムユニット２９が横長であるほど発生しやすく、具体的には図５に示すように、フイルムユニット２９の縦方向の寸法Ｙと横方向の寸法Ｘとの比率が、「１．１≦Ｘ／Ｙ」の場合に上記実施形態の効果がより発揮される。なお、下記の表１に、フイルムパック３６の各部の好ましい寸法を記載する。
【００３８】
【表１】
0003792407.tif 000002
【００３９】
また、上記実施形態のように、フイルムパック側でフイルムユニットの後端をケースの内壁面に当接させてフイルムユニットの搬送を安定化させる以外に、カメラ側で同様の改良を行うこともできる。以下に、カメラ側でフイルムユニットの搬送を安定化させる実施形態について説明する。なお、上記実施形態と同じ部品については、同符号を用いて詳しい説明を省略する。
【００４０】
図６（Ａ）に示すように、本実施形態では、展延制御部材６０からフイルムパック３６の露光開口４５の後端縁４５ａまでの寸法Ｇが一定となるように、フイルムパック３６をパック室３７内に位置決めするようにしている。寸法Ｇは、同図（Ｂ）に示すように、フイルムユニット２９の先端が展延制御部材６０に当接した際の展延制御部材６０からフイルムユニット２９の後端縁までの寸法Ｅに対して「Ｇ≦Ｅ」となるように設定されている。寸法Ｅは、フイルムユニット２９の縦方向の寸法Ｙとほぼ同じであり、「Ｅ≒Ｙ」であるため、「Ｇ≦Ｙ」となる。
【００４１】
これによれば、フイルムユニット２９の先端が展延制御部材６０に当接する際に、確実にフイルムユニット２９の後端をケース４３の前面内壁に当接させておくことができ、上記実施形態と同様にフイルムユニット２９を適正に排出することができる。
【００４２】
また、フイルムパックやカメラによる寸法的な調節以外に、搬送中のフイルムユニットの後端の変形を積極的に規制する変形規制機構を設けることもできる。以下に、変形規制機構を用いてフイルムユニットの搬送を安定化させる実施形態について説明する。なお、上記実施形態と同じ部品については、同符号を用いて詳しい説明を省略する。
【００４３】
図７に示すように、本実施形態では、フイルムパック３６が装填されるパック室３７内に、細長い薄板形状の規制レバー８０を組み込む。この規制レバー８０は、一端側に設けられた穴８０ａとこの穴８０ａに挿入されるネジ８１とを利用して、撮影開口３９の下方の垂直面に揺動自在に取り付けられる。規制レバーの他端は、肉厚が若干薄くされ、カメラ１５の背面側に向かってピン８２が立設されている。規制レバー８０のピン８２は、クロー機構５１によって上下方向にスライド移動されるクロー部材８４に形成されたスリット８４ａ内に挿入される。クロー部材８４には、フイルムパック３６内に入り込んでフイルムカバー４４やフイルムユニット２９の下端を掬いあげる爪部材８４ｂが一体に形成されている。
【００４４】
パック室３７に装填された際のフイルムパック３６のレンズ１６側から見た状態を概略的に表す図８に示すように、フイルムユニット２９への露光時、すなわち排出機構が作動せずにクロー部材８４がフイルムパック３６の下方に停止されている際には、規制レバー８０はフイルムパック３６の露光開口４５の外側に配置されている。そのため、規制レバー８０がフイルムユニット２９への露光を阻害することはない。
【００４５】
一方、図９に示すように、排出機構が作動してクロー部材８４がフイルムユニット２９を上方へ送り出すと、ピン８２がクロー部材８４のスリット８４ａに係合していることから、規制レバー８０はネジ８１を支点として揺動し、露光開口４５内に入り込む。その際に規制レバー８０は、図１０に示すように、フイルムユニット２９の後端に当接し、展延制御部材６０との当接によってフイルムユニット２９の後端が露光開口４５から突出する方向に湾曲するのを規制する。
【００４６】
なお、上記実施形態では、カメラに装填されるフイルムパックを例に説明したが、本発明はプリンタに装填されるフイルムパックにも適用することができる。更に、露光面とポジ像形成面とが異なる透過型のフイルムユニットを例に説明したが、露光面とポジ像形成面とが同一面とされた反射型フイルムユニットを収納するフイルムパック及びのフイルムパックを使用するカメラにも本発明は適用することができる。
【００４７】
【発明の効果】
以上説明したように、本発明のインスタントフイルムパック及びカメラは、インスタントフイルムユニットが展延制御部材に当接する際に、ケースの内壁、あるいは変形規制機構によってインスタントフイルムユニットの後端の変位を規制するようにしたので、インスタントフイルムユニットが排出中に斜行するのを防止することができ、インスタントフイルムユニットを適正に排出し現像することができる。
【図面の簡単な説明】
【図１】本発明の第１の実施形態のパック室装填時のフイルムパックの状態を示す要部断面図である。
【図２】本発明のカメラの外観形状を示す斜視図である。
【図３】カメラ及びフイルムパックの構成を示す要部断面図である。
【図４】フイルムパックの外観及び排出機構の概略的構成とを示す説明図である。
【図５】フイルムパックの構成を示す分解斜視図である。
【図６】本発明の第２の実施形態のパック室装填時のフイルムパックの状態を示す要部断面図である。
【図７】本発明の第３の実施形態の変形規制機構の構成を示す斜視図である。
【図８】排出機構不作動時のフイルムパック及び変形規制機構の状態を示す説明図である。
【図９】排出機構作動時のフイルムパック及び変形規制機構の状態を示す説明図である。
【図１０】排出機構作動時の変形規制機構によるフイルムユニットの規制状態を示す説明図である。
【図１１】従来のフイルムパックでのフイルムユニット排出時の状態を示す説明図である。
【図１２】従来のフイルムパックでの排出時のフイルムユニットの未展開部を示す説明図である。
【符号の説明】
１５  カメラ
２９  フイルムユニット
３６  フイルムパック
３７  パック室
４０  蓋部材
４３  ケース
４４  フイルムカバー
４５  露光開口
４６  排出口
５２  展開ローラ対
５４，８４  クロー部材
６０  展延制御部材
８０  規制レバー
【図１】
0003792407.tif 000003
【図２】
0003792407.tif 000004
【図３】
0003792407.tif 000005
【図４】
0003792407.tif 000006
【図５】
0003792407.tif 000007
【図６】
0003792407.tif 000008
【図７】
0003792407.tif 000009
【図８】
0003792407.tif 000010
【図９】
0003792407.tif 000011
【図１０】
0003792407.tif 000012
【図１１】
0003792407.tif 000013
【図１２】
0003792407.tif 000014